(57)【要約】【課題】履き替えに行くために持っていても、履き替えに行くことが他人にわかりにくく、化粧小物や生理用品を持っているとも思われにくい、パンティストッキングを収納するパッケージを提供する。【解決手段】この下半身衣類用パッケージＰは、置き寸が小さく大きく伸びるをストッキング１をその長手方向にクルクルと丸めて円柱型に巻き付けて、それら３つをパッケージ本体１００に内包して構成される。パッケージ本体１００は、少なくとも１つの開放面１２０が開放された収納部１１０と、その開放面１２０を覆う蓋部１３０とで構成される。円柱型に巻き付けられたストッキング１が、巻き付け軸が開放面１２０と略垂直になる方向に、開放面１２０から収納部１１０へ収納されて、蓋部１３０が閉じられて、ストッキング１が収納されたパッケージＰが完成する。【選択図】図２
0003207441.tif 000002
【実用新案登録請求の範囲】
【請求項１】
少なくともレッグ部およびパンティ部とから構成され、全体が一体的に編成された下半身衣類に適した下半身衣類用パッケージであって、
前記下半身衣類用パッケージは、
略直方体形状を備え、
左右のレッグ部を重ね合わせて、前記パンティ部から前記レッグ部へ向けた方向またはその逆方向に丸めて円柱型に巻き付けられた下半身衣類を少なくとも１つ収納することが可能な容積を備え、
前記略直方体形状は、少なくとも１つの面が開放され、
前記円柱型に巻き付けられた下半身衣類が、前記開放された面から収納される、下半身衣類用パッケージ。
【考案の詳細な説明】
【技術分野】
【０００１】
本考案は、少なくともパンティ部およびレッグ部を備えたパンティストッキング（以下において単にストッキングと記載する場合がある）に代表される下半身衣類（パンティストッキング、タイツ、スパッツ、レギンス、トレンカ等）を販売するときに用いられるパッケージに関し、特に、たとえば、着用する前はコンパクトであって携帯しやすい下半身衣類の販売に用いられる下半身衣類用パッケージに関する。
【背景技術】
【０００２】
近年の生活習慣上、人が靴を履くときに足に装着する衣類としての靴下を多くの人々が使用している。そのような衣類の中で、特に、女性の下半身を覆うストッキングおよびタイツは、外出時における女性の脚部の保護および保温さらには脚線美の向上の観点等から、広く世間に浸透している。
現在市販されているほとんどのストッキングおよびタイツは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。種類が異なる２種類の糸を使用するため（構造上どうしても）横縞模様が表れやすい。
ゾッキ（ゾッキ編み）は、一般的にはサポート糸（ポリウレタン糸にナイロン糸を巻き付けたカバリング糸）だけで編成されているものが多い。良好なフィット性を求めるときに好適である。また、いわゆる伝線（使用中に編み組織の一部に引掛傷ができ糸が切れると生成される編み組織が解編されたはしご状の線）が発生しにくいという特徴を備えたゾッキ編みのストッキングが、最近では増えてきている。
【０００４】
このようなストッキング等の下半身衣類を含めて、一般に、衣類は、需要促進、販売促進、購買意欲喚起等のため、新素材の利用、着用性、体形補正等の各種の機能性向上や種々の改良が行われ、それらの改良がなされた衣類を展示販売するために、衣類の種類に適したパッケージが種々工夫されている。
上述したパンティストッキングについては、登録実用新案第３０４８２５９号公報（特許文献１）の図４または図５に示すような、薄い長方形形状のパッケージが採用されていることが多い。また、この特許文献１に開示されたパッケージを複数纏めた外装パッケージが特開２００２−３３２０８３号公報（特許文献２）の図５に、パンティストッキングを小さく折り畳んで収納して個装パッケージを形成してそれを複数纏めた外装パッケージが特許文献２の図２に、それぞれ示されている。
【先行技術文献】
【特許文献】
【０００５】
【特許文献１】登録実用新案第３０４８２５９号公報
【特許文献２】特開２００２−３３２０８３号公報
【考案の概要】
【考案が解決しようとする課題】
【０００６】
ところで、このようなパンティストッキングは、その一部でも破れたり伝線したりすると履き替える必要がある。自宅ではなく外出先等で履き替える場合には、たとえばトイレ等で履き替える場合が多い。
しかしながら、特許文献１の図４または図５に示されたパッケージおよび特許文献２の図５に示されたパッケージを持って履き替えに行ったのでは、これらのパッケージは平面が長方形形状の厚みが薄い直方体形状を備えるため、いかにもパンティストッキングを履き替えに行くことが他人に明白であって、着用者が好まない場合がある。
【０００７】
さらに、特許文献２の図２に示されたパッケージを持って履き替えに行ったのでは、これらのパッケージは平面が長方形形状の厚みが薄い直方体形状を備えるため（個別に取り
出さない場合）、または、小さく折り畳まれた形状を備えるため（個別に取り出した場合）、いかにもパンティストッキングを履き替えに行くことが他人に明白になったり、化粧小物や生理用品を持っていると他人に思われたりして、着用者が好まない場合がある。
【０００８】
なお、パッケージからパンティストッキングを取り出して履き替えに行くのでは、パンティストッキングそのものが見えてしまうか、パンティストッキングが見えないように（カバンに入れてカバンを持って行く等の）手間を掛けなければならない。
特に、特許文献２において、パンティストッキングを小さく折り畳んだとしても、従来のパンティストッキングの置き寸にもある程度の大きさがあるために、たとえば（多少極端であるが）手のひらに握って隠れるほどには折り畳むことができない。
【０００９】
本考案は、従来技術の上述の問題点に鑑みて開発されたものであり、その目的は、たとえば、着用する前はコンパクトであって携帯しやすい（置き寸の小さい）パンティストッキングに代表される下半身衣類（置き寸の小さい下半身衣類）の販売に用いられる下半身衣類用パッケージであって、着用者が履き替えに行くために持っていても、下半身衣類を履き替えに行くことが他人にわかりにくく、化粧小物や生理用品を持っているとも思われにくい、下半身衣類用パッケージを提供することである。
【課題を解決するための手段】
【００１０】
上記目的を達成するため、本考案に係る下半身衣類用パッケージは以下の技術的手段を講じている。
すなわち、本考案に係る下半身衣類用パッケージは、少なくともレッグ部およびパンティ部とから構成され、全体が一体的に編成された下半身衣類に適した下半身衣類用パッケージであって、前記下半身衣類用パッケージは、略直方体形状を備え、左右のレッグ部を重ね合わせて、前記パンティ部から前記レッグ部へ向けた方向またはその逆方向に丸めて円柱型に巻き付けられた下半身衣類を少なくとも１つ収納することが可能な容積を備え、前記略直方体形状は、少なくとも１つの面が開放され、前記円柱型に巻き付けられた下半身衣類が、前記開放された面から収納される。
【００１１】
好ましくは、前記円柱型に巻き付けられた下半身衣類を収納する袋状の個装フィルムをさらに含み、前記個装フィルムに収納された下半身衣類が、前記パッケージに収納されるように構成することができる。
さらに好ましくは、前記パッケージの形状に対応する袋状の外装フィルムをさらに含み、前記下半身衣類が収納されたパッケージが前記外装フィルムに収納されるように構成することができる。
【００１２】
さらに好ましくは、前記円柱型に巻き付けられた下半身衣類が、巻き付け軸が前記開放された面と略垂直になる方向に収納されるように構成することができる。
【考案の効果】
【００１３】
本考案に係る下半身衣類用パッケージによれば、置き寸の小さい下半身衣類の販売に用いられる下半身衣類用パッケージであって、着用者が履き替えに行くために持っていても、下半身衣類を履き替えに行くことが他人にわかりにくく、化粧小物や生理用品を持っているとも思われにくい、下半身衣類用パッケージを提供することができる。
【図面の簡単な説明】
【００１４】
【図１】本考案の実施の形態に係る下半身衣類用パッケージに好適な下半身衣類を説明するための図である。
【図２】本考案の実施の形態に係る下半身衣類用パッケージを説明するための図である。
【図３】本考案の実施の形態に係る下半身衣類用パッケージの斜視図である。
【考案を実施するための形態】
【００１５】
以下、本考案の実施の形態として、たとえば、下半身用衣類の一例であるパンティストッキング（以下において単にストッキングと記載する場合がある）１に好適な下半身衣類用パッケージ（以下において単にパッケージと記載する場合がある）Ｐを、図面に基づき詳しく説明する。なお、本考案に係る下半身衣類用パッケージＰに包装されて展示販売される下半身衣類は、後述するような着用前の置き寸が小さく着用時に大きく伸びるパンテ
ィストッキング１であるとして説明する。このパッケージＰに包装されて展示販売される下半身衣類としては、上述したような置き寸が小さく大きく伸びるパンティストッキングに限定されるものではなく通常のパンティストッキングを含み、これらのパンティストッキングに代表される、薄手の下半身衣類であって、長手方向に折り畳んだり巻いたりすることのできる下半身衣類が、特に、このパッケージＰに好ましい。なお、このパッケージＰに包装されて展示販売される下半身衣類は、フット部を備えなくても構わず、少なくともレッグ部およびパンティ部とから構成され、全体が一体的に編成された下半身衣類であれば、このパッケージＰに好ましい。
【００１６】
図１（Ａ）に、本実施の形態に係るストッキング１の概略正面図を示す。このストッキング１は、腹部および臀部を被覆するパンティ部３と、足首までの脚を被覆するレッグ部２と、足首より先の足を被覆するフット部５とを備えるものである。このストッキング１は、全体が一体的に筒状に編成された１対の編地を用い、パンティ部３に相当する部分に切れ目を入れて裁断縁どうしをつき合わせて股部４を縫着して一体化することにより製造される。また、フット部５の先端である爪先部は周知の手段により、袋状に縫着することにより製造される。このような製造工程の最終工程において、足型にストッキング１を挿入して、熱セット（湿熱セット）が行われる。このストッキング１は、限定されるものではないが、ゾッキタイプである。
【００１７】
なお、本考案において、ストッキングよりも一般的に厚手のタイツやスパッツを含むこと、その他の下半身用衣類を含むことは、上述した通りである。
そして、特徴的であるのは、このストッキング１は、このように少なくともレッグ部２およびパンティ部３とから構成され（このストッキング１は任意的構成としてフット部５をさらに含んでいる）、全体が一体的に編成された下半身衣類であって、限定されるものではないが、フット部５における爪先端（フット部５を含まない場合には足首までの脚を被覆するレッグ部２の足首までの先端）からパンティ部３における上端までの長さ（ストッキング１の長手方向（図１における縦方向）の長さ）Ｌが、置き寸で８０ｃｍ以下であって、好ましくは、長さＬが置き寸で７０ｃｍ以下であって、さらに好ましくは、長さＬが置き寸で６０ｃｍ以下である。
【００１８】
比較のために、従来の通常のパンティストッキング（以下において単にストッキングと記載する場合がある）１０を図１（Ｂ）に示す。なお、後述する置き寸および伸縮性（伸張性）の比較のために、ストッキング１０もストッキング１と同じくゾッキタイプのストッキングを採用している。
このストッキング１０におけるフット部５における爪先端からパンティ部における上端までの長手方向の長さＬＬが、置き寸で８０ｃｍより長く、通常の場合、９０ｃｍ程度以上の長さを備える。すなわち、従来品であるストッキング１０の置き寸長さＬＬに対して、本考案に係るストッキング１の置き寸長さＬは、３０％以上短い。さらに、このストッキング１の長手方向に垂直な方向（図１における横方向）についても従来品であるストッキング１０よりも（フット部における爪先端からパンティ部における上端までの長さの比率と同程度に）３０％程度短い。そして、このストッキング１は、縦にも横にもよく伸びる。
【００１９】
このように、本実施の形態に係る下半身衣類用パッケージＰに用いられる下半身衣類は、限定されるものではないが、着用する前はコンパクトであって携帯しやすい（置き寸の小さい）パンティストッキングに代表される下半身衣類（置き寸の小さい下半身衣類）が好ましい。
このように、置き寸が小さい場合には、たとえば、ストッキング１の長手方向（パンティ部３からフット部５へ向けた方向またはその逆方向）にクルクルと丸めて円柱型（円筒型を含み俵型等の略円柱型の形状を含む）に巻き付けられることにより、名刺程度（一般的な名刺の大きさである５５ｍｍ×９１ｍｍ）の以下の面積に、クルクルと円柱型に丸めた２〜３足のストッキング１が載置できる程度の非常にコンパクトな形状を実現することができる。このようにコンパクトな形状を実現できるために、以下において説明する図２および図３に示すような本実施の形態に係る下半身衣類用パッケージ（以下において単に
パッケージと記載する場合がある）Ｐに収納することができる。
【００２０】
図２に、本実施の形態に係るパッケージＰ（以下においてはこのパッケージＰはパッケージ本体１００にストッキング１を３つ収納したものとして説明する）を説明するための図を、図３にこのパッケージ本体１００自体の斜視図を、それぞれ示す。以下においては、このパッケージＰの全体を斜視図で示した図２（Ｉ）およびこのパッケージ本体１００の全体を斜視図で示した図３（Ａ）における上下左右前後方向を基準として説明する。なお、図３（Ａ）は前上方からのパッケージ本体１００の全体斜視図（蓋部１３０閉状態）、図３（Ｂ）は後上方からのパッケージ本体１００の全体斜視図（蓋部１３０閉状態）、図３（Ｃ）は前上方からのパッケージ本体１００の全体斜視図（蓋部１３０開状態）、図３（Ｄ）は図３（Ｃ）において蓋保持部１４０を取り外した状態の斜視図、図３（Ｅ）は図３（Ｃ）から取り外した蓋保持部１４０の斜視図、である。また、図２（Ｉ）が図３（Ａ）に対応する。上述したように、パッケージ本体１００にストッキング１を挿入することによりパッケージＰが完成するものとする。
【００２１】
これらの図２および図３に示すように、このパッケージＰは、略直方体形状（幅Ｗ、厚みＴ、高さＨ）を備えたパッケージ本体１００にストッキング１を挿入したものであって、左右のレッグ部２を重ね合わせて、パンティ部３からレッグ部２へ向けた方向（ストッキング１ではフット部５を備えるのでレッグ部２へ向けた方向とはフット部５を含めた方向となる）またはその逆方向に丸めて円柱型に巻き付けられた下半身衣類であるストッキング１を少なくとも１つ（ここでは３つ）収納することが可能な容積（幅Ｗ×厚みＴ×高さＨ）を備えたパッケージ本体１００に、本実施の形態に係るストッキング１を３つ収納したものである。
【００２２】
この略直方体形状のパッケージ本体１００は、少なくとも１つの面（以下開放面と記載する）１２０が開放された収納部１１０と、その開放面１２０を覆う蓋部１３０とで構成される。円柱型に巻き付けられたストッキング１が、開放面１２０から収納部１１０へ収納されて、蓋部１３０が閉じられて、下半身衣類であるストッキング１が収納されたパッケージＰが完成する。
【００２３】
このパッケージ本体１００は、所定の形状を備え、予め定められた位置に折り目および切り欠き（穴部を含む）を有する平面材である硬質の紙製または樹脂製（素材は限定されるものではなく、たとえば樹脂コーティングされた紙でも構わない）のシートを折り目で折り曲げ、開放面１２０を備えた収納部１１０と、その開放面１２０を覆う蓋部１３０と、収納部１１０に挿入された蓋保持部１４０とにより形成されている。
【００２４】
この蓋保持部１４０は、図３（Ｄ）および図３（Ｅ）に示すように、収納部１１０よりも少し小さく開放面１２０側に収納部１１０の前面を延長する部材であって、シートを２箇所で折り曲げた部材であり、矢示Ｚ方向に収納部１１０へ挿入される。この蓋保持部１４０に設けられた切り込み１４６に、蓋部１３０に設けられた舌片１３６が差し込まれて、蓋保持部１４０を介して、閉状態の蓋部１３０が収納部１１０に保持される。また、収納部１１０には舌片１３６の形状に合致する切り欠き部１１６が設けられている。
【００２５】
ここで、図３（Ａ）に示す蓋部１３０が閉じた閉状態から図３（Ｃ）に示す蓋部１３０が開いた開状態とするためには、このパッケージＰが未開封状態においては、たとえば、収納部１１０と蓋部１３０との接合線１３８がミシン目で接続されている場合には、そのミシン目で形成された接合線１３８を指先で押圧して、収納部１１０から蓋部１３０を切り離して、蓋部１３０を開くことになる。その後においては（１足目のストッキング１の使用を開始した後においては）、上述したように、蓋保持部１４０に設けられた切り込み１４６に、蓋部１３０に設けられた舌片１３６を差し込んで、蓋保持部１４０を介して、蓋部１３０が収納部１１０に保持されて閉状態を維持する。なお、このように接合線１３８がミシン目で接合されている場合には、後述するように開放面１２０からストッキング１を挿入するのではなく（図２（Ｇ）における矢示Ｙ方向に挿入するのではなく）、たとえば、このパッケージ本体１００の上面（より詳しくは蓋部１３０の上面）または底面（より詳しくは収納部１１０の底面）からストッキング１を挿入する。ただし、以下においては、開放面１２０からストッキング１を挿入するものとして説明する。さらに、本考案
において、「円柱型に巻き付けられた下半身衣類が、開放された面から収納された状態」とは、開放面１２０からストッキング１を挿入した状態のみを意味するのではなく、このパッケージ本体１００の上面または底面からストッキング１を挿入した状態も含むものである。
【００２６】
ここで、ストッキング１を円柱型に巻き付けて、それらを透明の個装フィルム２００に収納して、それをパッケージＰの収納部１１０に内包し、１つ以上（ここでは３つ）のストッキング１が内包されたパッケージＰを透明の外装フィルム（図示しない）を被せて構成することも好ましい。なお、個装フィルム２００および外装フィルムは、本考案における必須の構成要件ではなく、透明であることが必須でもない。
【００２７】
なお、限定されるものではないが、円柱型に巻き付けられたストッキング１は、巻き付け軸が開放面１２０と略垂直になる方向に収納部１１０へ収納されることが好ましい。このように収納すると、パッケージＰの蓋部１３０を開いて、収納部１１０へ収納された３つのストッキング１のうちの任意の１つ（左側、中央、右側）を取り出すことができる。巻き付け軸が開放面１２０と略平行になる方向に収納してしまうと、収納部１１０へ収納された３つのストッキング１のうちの一番上の１つしか取り出すことができない。
【００２８】
このパッケージＰについて、図２および図３を参照して、さらに詳しく説明する。
このパッケージＰは、少なくともレッグ部およびパンティ部から構成される下半身衣類（ここではストッキング１）に適している。このパッケージＰの形状である略直方体形状は、たとえば、表面および裏面が略正方形（図２(Ｉ）および図３（Ａ）における幅Ｗおよび高さＨが略同じ)で、厚み（図２(Ｉ）および図３（Ａ）における厚みＴ)が（幅Ｗおよび高さＨよりも）薄く、１つの側面（図２（Ｉ）および図３（Ａ）における向かって上側面）が開放面１２０とされている。
【００２９】
さらに、図２(Ｉ）および図３（Ａ）に示すパッケージＰの高さＨは、おおよそ、ストッキング１のパンティ部３の上端の長さ（ウエストバンド部の置き寸長さ）Ｄの１／２（＝Ｄ／２）をその高さとして円柱型に巻き付けられたストッキング１の長さｈに対応する。また、図２(Ｉ）に示すパッケージＰの厚みＴ（および幅Ｗの１／３（パッケージＰに円柱型に巻き付けられた３つのストッキング１を内包する場合））は、おおよそ、ストッキング１の置き寸長さＬをクルクルと円柱型に丸めたストッキング１の直径ｄに対応する。
【００３０】
上述したように、円柱型に巻き付けられたストッキング１を袋状の個装フィルム２００の袋部２１０に収納してフラップ部２２０で覆うことにより個装フィルム２００に収納されたストッキング１をパッケージ本体１００に収納するようにしても構わないし、ストッキング１が収納されたパッケージ本体１００をその形状に対応する袋状の外装フィルムに収納するようにしても構わない。
【００３１】
特徴的であるのは、このパッケージＰの全体形状が、極めて小さい体積を備える点である。より具体的には、上述したように、本実施の形態に係るストッキング１は名刺程度の以下の面積に２〜３足のストッキング１が載置できる程度の非常にコンパクトな形状を実現することができるために、このパッケージＰ（ストッキング１を３つ収納）の幅Ｗ×高さＨの面積も、名刺程度または名刺の１．５倍〜２倍程度の大きさの非常に小さいものになる。
【００３２】
ここで、パッケージＰに内包したストッキング１の色をパッケージＰの蓋部１３０を開けることなく確認できるように（個装フィルム２００および外装フィルムに透明なフィルムを採用して）、パッケージ本体１００の表面および裏面の少なくとも一方の面に（ここではパッケージ本体１００の表面のみに）小窓１１２を設けることも好ましい。なお、上述したように、パッケージ本体１００は、その収納部１１０に蓋保持部１４０が挿入されて形成されているために、収納部１１０に蓋保持部１４０が挿入されたときに同じ位置になるように、小窓１１２と同じ形状（または小窓１１２よりも面積が大きい形状）の保持部小窓１４２が蓋保持部１４０に設けられている。
【００３３】
さらに、このような小窓に替えて／加えて、内包したストッキング１の個数をパッケージＰの蓋部１３０を開けることなく確認できるように、パッケージ本体１００の表面およ
び裏面の少なくとも一方の面に（ここではパッケージ本体１００の裏面のみに）窓１１４を設けることも好ましい。なお、ストッキング１の巻き付け軸が開放面１２０と略垂直になる方向に収納部１１０へ収納されている場合には、この窓１１４は横長形状を備え、ストッキング１の巻き付け軸が開放面１２０と略平行になる方向に収納部１１０へ収納されている場合には、この窓は縦長形状を備える。さらに、いずれの方向にも対応できる窓の形状であることも好ましい。
【００３４】
図２（Ａ）〜図２（Ｉ）を参照して、本実施の形態に係る下半身衣類用パッケージＰについてさらに詳しく説明する。なお、図２（Ａ）〜図２（Ｄ）は同じ縮尺（第１の縮尺）であって、図２（Ｅ）〜図２（Ｉ）は同じ縮尺（第２の縮尺）であって、第１の縮尺と第２の縮尺とは同じ縮尺ではない。
図２（Ａ）に示す長さＬで左右対象形状のストッキング１を矢示Ｒ（１）で折り返して図２（Ｂ）および図２（Ｃ）に示すように、ストッキング１の長手方向（パンティ部３からフット部５へ向けた方向またはその逆方向）に矢示Ｒ（２）方向にクルクルと丸めて円柱型に巻き付ける。この結果、ストッキング１は、図２（Ｂ）に示す状態から図２（Ｃ）に示す状態を経て図２（Ｄ）に示す略円柱型（直径ｄ、長さｈ）に巻き付けられる。なお、本実施の形態に係るパッケージＰに適用される折り畳み位置、巻き付け方法は、これに限定されるものではない。
【００３５】
図２（Ｅ）（図２（Ｅ）の上側の図は縮尺は違うが図２（Ｄ）に同じ）に示すように円柱型に巻き付けられたストッキング１を矢示Ｘ方向へ個装フィルム２００へ侵入させて、図２（Ｆ）に示すようにフラップ部２２０を矢示Ｒ（３）方向へ折り返してストッキング１を個装フィルム２００に内包する。この個装フィルム２００は、略円柱型（直径ｄ、長さｈ）に巻き付けられたストッキング１を収納できる容積を備えた袋部２１０とその袋部２１０に延設されたフラップ部２２０とを備え、ストッキング１が個装フィルム２００に内包された後に、図２（Ｆ）に示すように、フラップ部２２０が矢示Ｒ（３）方向へ折り返される。なお、上述した個装フィルム２００の袋部２１０はマチ（紙面表裏方向の厚み）を備えるが、マチを備えない平面状の袋体であっても構わないし、フラップ部２２０を備えず、個装フィルム２００にストッキング１を挿入して袋部２１０の余った部分を２重に折り返してストッキング１を個装するようにしても構わない。
【００３６】
図２（Ｇ）に示す個装フィルム２００に内包されたストッキング１の１つ以上（ここでは３つ）を、パッケージ本体１００の開放された開放面１２０から矢示Ｙ方向へ収納部１１０へ挿入させて、その開放面１２０を覆う蓋部１３０を矢示Ｒ（４）方向へ回動させて、開放面１２０を閉じて、図２（Ｉ）に示すように本実施の形態に係るパッケージＰが完成する。
【００３７】
このパッケージ本体１００は、個装フィルム２００に内包されたストッキング１を１つ以上（ここでは３つ）収納できる容積を備えた略直方体形状を備え、開放された開放面１２０を備えるとともに、この開放面１２０に接する収納部１１０の表面側が曲線状に切り欠かれて、個装フィルム２００に内包されたストッキング１の挿入（収納）および個装フィルム２００に内包されたストッキング１の離脱（取り出し）が容易に行えるようにしている。
【００３８】
このようにして形成された本実施の形態に係るパッケージＰ（ストッキング１を３つ収納）は、このパッケージＰに収納される本実施の形態に係るストッキング１をその長手方向（パンティ部３からフット部５へ向けた方向またはその逆方向）にクルクルと丸めて円柱型に巻き付けられて名刺程度の以下の面積に２〜３足のストッキング１が載置できる程度の非常にコンパクトな形状を実現することができるために、このパッケージＰの幅Ｗ×高さＨの面積を、名刺程度または名刺の１．５倍〜２倍程度の大きさの非常に小さいものとすることができる。このパッケージＰは、このような従来のパッケージ（特許文献１および特許文献２に開示されたもの）に対して非常に小さい体積を備えるために、着用者がパンティストッキングを履き替えに行くためにこのパッケージＰを持っていても、パンティストッキングを履き替えに行くことが他人にわかりにくく、化粧小物や生理用品を持っているとも思われにくい。
【００３９】
以上のようにして、本実施の形態に係る下半身衣類用パッケージに好ましく用いられるストッキング１の置き寸が小さく大きく伸びるという特徴を備える場合には、たとえば、ストッキング１の長手方向にクルクルと丸めて非常に体積の小さい円柱型に巻き付けることができ、名刺程度の以下の面積に２〜３足のストッキング１が載置できる程度の非常にコンパクトな形状を実現することができる。
【００４０】
そして、本実施の形態に係る下半身衣類用パッケージＰによると、パンティストッキング等の販売に用いられる下半身衣類用パッケージであって、着用者が履き替えに行くために持っていても、パンティストッキング等を履き替えに行くことが他人にわかりにくく、化粧小物や生理用品を持っているとも思われにくいので、着用者が好まない事態を回避することができる。特に、包装されて販売されるストッキング１の置き寸が小さく大きく伸びるという特徴を備える場合には、非常に小さいパッケージを実現することができる。
【００４１】
なお、今回開示された実施の形態はすべての点で例示であって制限的なものではないと考えられるべきである。本考案の範囲は上記した説明ではなくて特許請求の範囲によって示され、特許請求の範囲と均等の意味および範囲内でのすべての変更が含まれることが意図される。
たとえば、パッケージ本体１００、個装フィルム２００または外装フィルムに、商品である下半身衣類の訴求点、サイズまたは色、このパッケージの訴求点（取り出しやすく目立ちにくい大きさ）等を印刷するようにしても構わない。
【産業上の利用可能性】
【００４２】
本考案は、パンティストッキング等の下半身衣類のパッケージに好適であり、この下半身衣類自体およびこのパッケージを持っていても、パンティストッキング等を履き替えに行くことが他人にわかりにくく、化粧小物や生理用品を持っているとも思われにくい点で特に好適である。
【符号の説明】
【００４３】
１    パンティストッキング（ストッキング）
Ｐ    下半身衣類用パッケージ（パッケージ）
１００    パッケージ本体（略直方体形状の小箱）
２００    個装フィルム
【図１】
0003207441.tif 000003
【図２】
0003207441.tif 000004
【図３】
0003207441.tif 000005